(57)【要約】【課題】火傷することなく、照明方向を調整することができる照明装置を提供する。【解決手段】光源４０を有する灯具３０は支持アーム２０に回動可能に取付けられていて、灯具３０の方向を変えることにより光照明方向を変えることができる。この際、灯具３０を把持する箇所に熱伝導率が小さな部材によって把持部３４を設けたので、光源４０の点灯中でも把持部３４の昇温を抑えることができる。このため、使用者は、所望の照明方向に調整する際に、光源４０を点灯させた状態で把持部３４を把持して灯具３０の向きを変えることにより、火傷を負うことなく照明方向を変更することができる。【選択図】図１
2009104831.tif 000002
【特許請求の範囲】
【請求項１】
支持アームと、この支持アームに回動可能に支持される灯具と、灯具に取付けられる光源とを有する照明装置であって、
前記灯具の向きを変更する際に当該灯具を把持する箇所に熱伝導率が小さな把持部を設けたことを特徴とする照明装置。
【請求項２】
前記把持部が、前記支持アームと前記灯具との取付部の近傍に設けられていることを特徴とする請求項１に記載の照明装置。
【請求項３】
前記把持部と前記灯具の表面との間に空間を設けたことを特徴とする請求項1または２記載の照明装置。
【発明の詳細な説明】
【技術分野】
【０００１】
本発明は、灯具の向きを変えることにより照明方向を変えることができる照明装置に関するものである。
【背景技術】
【０００２】
従来より、支持アームに回動可能に取付けられている灯具の向きを調整して、所望の方向に光を照射するスポットライトのような照明装置が知られている（例えば、特許文献１参照）。
特許文献１に記載のスポットライト１００では、本体１０１と、本体１０１を吊下げる吊下げアーム１０２を有しており、吊下げアーム１０２の下端部にヒンジ１０５により本体１０１が上下方向に回動可能に取付けられている。本体１０１の内部には、光源であるランプ（図示省略）が取付けられており、ランプの後方（照明方向と反対側）には反射板１０３が設けられている。この反射板１０３には、複数枚の放熱用のフィン１０４が取付けられており、ランプによって昇温された反射板１０３の冷却を図っている。
【特許文献１】特開２００５−２６１３２号公報（第２図）
【発明の開示】
【発明が解決しようとする課題】
【０００３】
ところで、前述したスポットライト１００のような照明装置では、照明方向を調整する際に、灯具本体１０１をつかんで所望の方向に向けるように調整する。この際、的確に所望の方向に光を照射するには、照明装置を点灯させた状態で方向を調整する必要がある。
しかしながら、点灯させた状態では反射板や灯具がランプにより昇温されており、使用者が素手でつかむと火傷を負うおそれがあるという問題があった。
【０００４】
本発明は、従来の問題を解決するためになされたもので、火傷することなく、照明方向を調整することができる照明装置を提供することを目的とする。
【課題を解決するための手段】
【０００５】
本発明の照明装置は、支持アームと、この支持アームに回動可能に支持される灯具と、灯具に取付けられる光源とを有する照明装置であって、前記灯具の向きを変更する際に当該灯具を把持する箇所に熱伝導率が小さな把持部を設けた構成を有している。
【０００６】
この構成により、光源を有する灯具は支持アームに回動可能に取付けられていて、灯具の方向を変えることにより光照明方向を変えることができる。この際、灯具を把持する箇所に熱伝導率が小さな部材によって把持部を設けたので、光源の点灯中でも把持部の昇温を抑えることができる。このため、使用者は、所望の照明方向に調整する際に、光源を点灯させた状態で把持部を把持して灯具の向きを変えることにより、火傷を負うことなく照明方向を変更することができる。
【０００７】
また、本発明の照明装置は、前記把持部が、前記支持アームと前記灯具との取付部の近傍に設けられている構成を有している。
【０００８】
この構成により、灯具の向きを変える際に把持する把持部が、支持アームと灯具との取付部の近傍に設けられているので、把持部を把持して、灯具を支持アームと灯具との取付部を中心として回動させる際に、灯具や支持アームの取付部等に作用する力を小さくすることができ、灯具や支持アームの破損を防止することができる。
【０００９】
さらに、本発明の照明装置は、前記把持部と前記灯具の表面との間に空間を設けた構成を有している。
【００１０】
この構成により、灯具と把持部との間に空間を設けたので、熱伝導率が極めて小さな空間が熱伝導を阻止し、灯具内部に設けられている光源等の発熱体からの熱が把持部に伝わるのを防止することができる。このため、把持部は熱くならないので、光源の点灯中に把持部を把持しても火傷を負うことなく照明方向を変えることができる。
【発明の効果】
【００１１】
本発明は、光源を有する灯具は支持アームに回動可能に取付けられていて、灯具の方向を変えることにより光照明方向を変えることができる。この際、灯具を把持する箇所に熱伝導率が小さな部材によって把持部を設けたので、光源の点灯中でも把持部の昇温を抑えることができる。このため、使用者は、所望の照明方向に調整する際に、光源を点灯させた状態で把持部を把持して灯具の向きを変えることにより、火傷を負うことなく照明方向を変更することができるものである。
【発明を実施するための最良の形態】
【００１２】
以下、本発明の実施の形態の照明装置について、図面を用いて説明する。
図１は本発明の照明装置に係る第１の実施の形態を示す斜視図、図２は照明装置の取付け状態および照明方向の変化を示す説明図、図３（Ａ）は照明装置の側面図、図３（Ｂ）は照明装置の背面図、図４（Ａ）は照明装置の別の例の側面図、図４（Ｂ）は照明装置の別の例の背面図、図５は照明方向を変化させる状態を示す側面図である。
【００１３】
図１において、照明装置１０は、支持アーム２０と、この支持アーム２０に回動可能に支持される灯具３０と、灯具３０に取付けられる光源であるランプ４０とを有している。そして、灯具３０を回動させる際に灯具３０を把持する位置には、熱伝導率の小さな部材により構成された把持部としての操作部３４が設けられている。
【００１４】
支持アーム２０は、例えば亜鉛ダイカスト製のパイプで形成されており、下端部の取付部２１が灯具３０の背面部３２に回動可能に接続されている。これにより、灯具３０は、外力を作用させた際には支持アーム２０の取付部２１を中心として上下方向に回動可能（図２参照）に支持されるとともに、外力を取り除くとその上下方向角度で保持されて照明方向を維持するようになっている。なお、図３に示すように、操作部３４の上部を切欠いて支持アーム２０の取付部２１を灯具３０の背面部３２に取付けることができる。また、図４に示すように、支持アーム２０の下端部をＬ字状に折り曲げて（折曲部２２）、折曲部２２の先端を灯具３０の背面部３２に取り付けるようにすることもできる。
【００１５】
図２に示すように、支持アーム２０の上端にはプラグ２３が支持アーム２０の中心軸に沿って回転可能に取付けられており、天井１１に取付けられているライティングダクト１２の溝（図示省略）に沿って移動可能に支持されるとともに、溝の両側に沿って長手方向に設けられている両電極に接触して導通するようになっている。
従って、図２に示すように、支持アーム２０は水平面上を約３６０度回転可能であるとともに、灯具３０が支持アーム２０に対して上下方向に約９０度回動可能であるため、照明方向を所望の方向に設定することができる。
【００１６】
灯具３０は、ランプ４０の照射側（図１において左側）の開口部３１と、ランプ４０を挟んで開口部３１と対向する背面部３２と、背面部３２に連続する側面部３３とを有している。側面部３３は、先端側（開口部３１側）が広がる円錐台形状あるいは円筒形状をしている。側面部３３は、放熱性の高い金属（例えばアルミダイカスト（熱伝導率＝２２０ｗ／ｍ・ｋ））により形成されており、灯具３０の向きを変える際に把持する側面部３３の後端部および背面部３２には、例えば熱伝導率が低い（０．２４ｗ／ｍ・ｋ）ＰＢＴ樹脂からなる操作部３４が一体的に設けられている。
【００１７】
また、図３に示すように、灯具３０の内部には、ランプ４０（例えばハロゲンランプ）を装着するソケット３５および蒸着ガラス製の反射板３６等が取り付けられており、ランプ４０が発した光は、反射板３６で反射して、灯具３０の開口部３１から照明方向へ照射される。
【００１８】
前述したように、支持アーム２０は、灯具３０における操作部３４またはその近傍に取り付けられることになる。このため、図５に示すように、灯具３０を上下方向に回動させて照明方向を調整する際に、熱くない操作部３４の上下部を手Ｈで挟持することができ、支持アーム２０の取付部２１の上下両側に回転力を加えて灯具３０の向きを変えることができるので、従来のように灯具３０の先端を上下動させて回動させる場合に比して、プラグ２３とライティングダクト１２との間に作用する力（モーメント）を大幅に減少させることができる。これに伴い、プラグ２３およびライティングダクト１２の破損を防止することができる。
【００１９】
なお、図４（Ｂ）に示すように、操作部３４と灯具３０の背面部３２および側面部３３との間には空間３７を設けるのが望ましい。空気の熱伝導率は０．０２４ｗ／ｍ・ｋと非常に小さいので、灯具３０の熱が操作部３４に伝導するのをより確実に防止することができるとともに、灯具３０からの熱を放熱して、操作部３４の表面が昇温するのを防止することができる。また、空間３７には、例えば発泡ウレタン等の断熱材を設けてもよい。
また、操作部３４の表面には、凹凸３４ａを全周にわたって設けるのが望ましい。これにより、手Ｈと操作部３４表面との接触面積を小さくすることができ、熱さをあまり感じないようにしている。また、空気との接触面積を大きくして、放熱性を高めることができる。さらに、凹凸３４ａを設けることにより、滑ることなく操作部３４を持って灯具３０の向きを変えることができる。
【００２０】
以上、説明した照明装置１０によれば、ランプ４０を有する灯具３０は支持アーム２０に回動可能に取付けられていて、灯具３０の方向を変えることにより光照明方向を変えることができる。この際、灯具３０を把持する箇所に熱伝導率が小さな部材によって操作部３４を設けたので、ランプ４０の点灯中でも操作部３４の昇温を抑えることができる。このため、使用者は、所望の照明方向に調整する際に、ランプ４０を点灯させた状態で操作部３４を把持して灯具３０の向きを変えることにより、火傷を負うことなく照明方向を変更することができる。
【００２１】
次に、第２実施形態について説明する。
図６（Ａ）は第２実施形態に係る照明装置の正面図、図６（Ｂ）は側面図である。なお、前述した第１実施形態に係る照明装置と共通する部位には同じ符号を付して、重複する説明を省略することとする。
【００２２】
図６に示すように、第２実施形態に係る照明装置１０Ｂでは、光源として多数のＬＥＤ４１を用いている。灯具３０Ｂの本体３８は、扁平な円板状をしており、前面には多数のＬＥＤ４１を覆って保護するためのレンズ４２が取付けられている。本体３８の背面部には、支持部３８ａが一体的に設けられており、支持部３８ａの先端（上端）はヒンジ２４を介して支持アーム２０に回動可能に接続されている。また、本体３８の背面部は、熱伝導率が小さな例えばＰＢＴ製のトリム３８ｂで覆われている。なお、図６においては、支持アーム２０が取付部２５を介して天井１１の定位置に回転可能に固定されているが、前述した第１実施形態と同様に、天井１１にライティングダクトを取付けて、回転および移動可能に取付けることも可能である。
【００２３】
従って、灯具３０Ｂを上下に回動させて照明方向を変える際には、本体３８の背面部に取付けられているトリム３８ｂを把持して回動させる。この際、トリム３８ｂは低熱伝導率の部材により構成されているので、使用者は火傷を負うことなく、照明方向を変化させることができることになる。
【００２４】
次に、第３実施形態について説明する。
図７（Ａ）は第３実施形態に係る照明装置の背面図、図７（Ｂ）は側面図である。なお、前述した第１、第２実施形態に係る照明装置と共通する部位には同じ符号を付して、重複する説明を省略することとする。
【００２５】
図７に示すように、第３実施形態に係る照明装置１０Ｃでは、光源としてミラー付ハロゲン電球４３を用いており、灯具３０Ｃに内蔵されているソケット３５に取付けられるようになっている。灯具３０Ｃの本体３９は円筒形状をしており、背面部３２はヒンジ２５を介して支持アーム２０の下端部に接続されている。本体３９における後部（すなわちヒンジ２５の近傍を含む。）には、低熱伝導率を有する例えばＰＢＴ製の保持カバー３９ａが取り付けられている。なお、プラグ２３には電子トランスが内蔵されている。
【００２６】
従って、灯具３０Ｃの向きを変えて照明方向を変える際には、保持カバー３９ａを把持して灯具３０Ｃを上下方向あるいは水平方向に回動させる。この際、保持カバー３９ａは低熱伝導率の部材により構成されているので、使用者は火傷を負うことなく、照明方向を変化させることができることになる。
【００２７】
なお、本発明の照明装置は、前述した各実施形態に限定されるものでなく、適宜な変形，改良等が可能である。例えば、低熱伝導率の部材である操作部３４、トリム３８ｂ、保持カバー３９ａ等は、前述した位置に限らず、図８に示すように、灯具３０を把持しやすい箇所のみに設けるようにしてもよい。
【産業上の利用可能性】
【００２８】
以上のように、本発明にかかる照明装置は、光源を有する灯具は支持アームに回動可能に取付けられていて、灯具の方向を変えることにより光照明方向を変えることができる。この際、灯具を把持する箇所に熱伝導率が小さな部材によって把持部を設けたので、光源の点灯中でも把持部の昇温を抑えることができる。このため、使用者は、所望の照明方向に調整する際に、光源を点灯させた状態で把持部を把持して灯具の向きを変えることにより、火傷を負うのを防止して照明方向を変更することができるという効果を有し、灯具の向きを変えることにより照明方向を変えることができる照明装置等として有用である。
【図面の簡単な説明】
【００２９】
【図１】本発明の照明装置に係る第１の実施の形態を示す斜視図
【図２】照明装置の取付け状態および照明方向の変化を示す説明図
【図３】（Ａ）は照明装置の側面図、（Ｂ）は照明装置の背面図
【図４】（Ａ）は照明装置の別の例の側面図、（Ｂ）は照明装置の別の例の背面図
【図５】照明方向を変化させる状態を示す側面図
【図６】（Ａ）は第２実施形態に係る照明装置の正面図、（Ｂ）は側面図
【図７】（Ａ）は第３実施形態に係る照明装置の背面図、（Ｂ）は側面図
【図８】（Ａ）は把持部の取付け位置の別の例を示す側面図、（Ｂ）は正面図
【図９】従来の照明装置を示す側面図
【符号の説明】
【００３０】
１０  照明装置
２０  支持アーム
２１  取付部
３０  灯具
３４  操作部（把持部）
３７  空間
４０  光源
【図１】
2009104831.tif 000003
【図２】
2009104831.tif 000004
【図３】
2009104831.tif 000005
【図４】
2009104831.tif 000006
【図５】
2009104831.tif 000007
【図６】
2009104831.tif 000008
【図７】
2009104831.tif 000009
【図８】
2009104831.tif 000010
【図９】
2009104831.tif 000011